(57)【要約】【課題】押圧スイッチをオンオフ操作する際に、回転式電子部品用の回路パターンの部分と、押圧スイッチ用の回路パターンの部分の間の部分の回路パターンに接続不良が生じない押圧スイッチ付き回転式電子部品を提供する。【解決手段】立設され一方の面を回路基板取付面６３とした回転式電子部品形成部６１と、回路基板取付面６３の下部から水平方向に突出し下面を回路基板取付面８３とした押圧スイッチ形成部８１とを設けた基台５０を具備する。基台５０の回路基板取付面６３に回転式電子部品部３を構成する第１回路基板２３を取り付ける。基台５０の回路基板取付面８３に押圧スイッチ部５を構成する第２回路基板２５を取り付ける。基台５０には、押圧スイッチ形成部８１の回路基板取付面８３に第２回路基板固定用の基板固定用突起８５を設けると共に、基板固定用突起８５を成形する際に用いる金型を挿入する開口部９３Ｂを設ける。【選択図】図３
2019160812.tif 000002
【特許請求の範囲】
【請求項１】
回転式電子部品の回転体をその回転軸に垂直な方向に向けて押圧して下降させることで押圧スイッチをオンする押圧スイッチ付き回転式電子部品において、
立設され一方の面を回路基板取付面とした回転式電子部品形成部と、当該回転式電子部品形成部の回路基板取付面の下部から水平方向に突出し下面を回路基板取付面とした押圧スイッチ形成部とを設けた基台を具備し、
前記基台の回転式電子部品形成部の回路基板取付面に前記回転式電子部品を構成する第１回路基板を取り付け、
一方、前記基台の押圧スイッチ形成部の回路基板取付面に前記押圧スイッチを構成する第２回路基板を取り付け、
さらに前記基台には、前記押圧スイッチ形成部の回路基板取付面に第２回路基板固定用の基板固定用突起を設けると共に、当該基板固定用突起を成形する際に用いる金型を挿入する開口部を設けたことを特徴とする押圧スイッチ付き回転式電子部品。
【請求項２】
請求項１に記載の押圧スイッチ付き回転式電子部品であって、
前記基台を上下動自在に収納するケースを具備し、
前記ケースの底面に前記第２回路基板に形成した押圧スイッチをオンオフ操作するスイッチ押圧部を設けたことを特徴とする押圧スイッチ付き回転式電子部品。
【請求項３】
請求項１または２に記載の押圧スイッチ付き回転式電子部品であって、
前記回転式電子部品は、前記第１回路基板上に前記回転体を回動自在に設置すると共に、前記第１回路基板と前記回転体との間に前記回転体の回転によって出力信号を変化する検出手段を設置して構成され、
一方、前記第１回路基板と前記第２回路基板を１枚のフレキシブル回路基板上に形成し、当該フレキシブル回路基板を前記基台の回転式電子部品形成部の回路基板取付面から、前記押圧スイッチ形成部下面の回路基板取付面に至るまで基台の表面に沿って取り付けたことを特徴とする押圧スイッチ付き回転式電子部品。
【発明の詳細な説明】
【技術分野】
【０００１】
本発明は、押圧スイッチ付き回転式電子部品に関するものである。
【背景技術】
【０００２】
従来、デジタルカメラや携帯通信機器等の各種携帯機器、コンピュータ、自動車用電装部品、各種ＯＡ機器、ゲーム機等を操作するデバイス等として、回転式電子部品が使用されている。そしてこの種の回転式電子部品の中には、回転式電子部品の回転体（回転つまみ）をその回転軸に垂直な方向に向けて押圧して下降させることで押圧スイッチをオンする構造の押圧スイッチ付き回転式電子部品がある（例えば特許文献１，２参照）。
【先行技術文献】
【特許文献】
【０００３】
【特許文献１】実開平０５−５５４３２号公報
【特許文献２】特開２００７−４８６２０号公報
【発明の概要】
【発明が解決しようとする課題】
【０００４】
しかしながら、上記特許文献１，２に示す従来の押圧スイッチ付き回転式電子部品においては、１枚のフレキシブル回路基板上に回転式電子部品用の回路パターン（スイッチパターン又は抵抗体パターン）と押圧スイッチ用の回路パターン（押圧スイッチパターン）とを設けており、且つ回転式電子部品用の回路パターンを設けた部分は回転体を取り付けた上下動する側の部材に設置され、一方押圧スイッチ用の回路パターンを設けた部分は静止側の部材に設置されているので、前記上下動する側の部材が上下動するたびにフレキシブル回路基板は、前記回転式電子部品用の回路パターンを設けた部分と、押圧スイッチ用の回路パターンを設けた部分の間で撓むこととなり、前記撓む部分の回路パターンに接続不良等の問題を生じる恐れがあった。
【０００５】
本発明は上述の点に鑑みてなされたものでありその目的は、押圧スイッチをオンオフ操作する際に、回転式電子部品用の回路パターンを設けた部分と、押圧スイッチ用の回路パターンを設けた部分の間の部分の回路パターンに接続不良等の問題を生じることがない押圧スイッチ付き回転式電子部品を提供することにある。
【課題を解決するための手段】
【０００６】
本発明は、回転式電子部品の回転体をその回転軸に垂直な方向に向けて押圧して下降させることで押圧スイッチをオンする押圧スイッチ付き回転式電子部品において、立設され一方の面を回路基板取付面とした回転式電子部品形成部と、当該回転式電子部品形成部の回路基板取付面の下部から水平方向に突出し下面を回路基板取付面とした押圧スイッチ形成部とを設けた基台を具備し、前記基台の回転式電子部品形成部の回路基板取付面に前記回転式電子部品を構成する第１回路基板を取り付け、一方、前記基台の押圧スイッチ形成部の回路基板取付面に前記押圧スイッチを構成する第２回路基板を取り付け、さらに前記基台には、前記押圧スイッチ形成部の回路基板取付面に第２回路基板固定用の基板固定用突起を設けると共に、当該基板固定用突起を成形する際に用いる金型を挿入する開口部を設けたことを特徴としている。
同一の基台上に回転式電子部品を構成する第１回路基板と、押圧スイッチを構成する第２回路基板とを取り付けるので、押圧スイッチをオンオフ操作する際に、回転式電子部品用の回路パターンを設けた部分と、押圧スイッチ用の回路パターンを設けた部分の間の部分が撓むことはなく、この部分の回路パターンは良好な接続状態を保つ。即ち、接続不良等の問題は生じない。
また、押圧スイッチ形成部から下方に向けて突出する基板固定用突起があっても、開口部を設けたので、２つの金型のみで、容易に基台を成形することが可能になる。
【０００７】
また本発明は、上記特徴に加え、前記基台を上下動自在に収納するケースを具備し、前記ケースの底面に前記第２回路基板に形成した押圧スイッチをオンオフ操作するスイッチ押圧部を設けたことを特徴としている。
これによって、基台の上下動を容易且つ確実に保持できると同時に、ケースの底面に設けたスイッチ押圧部によって、上下動する押圧スイッチを容易且つ確実にオンオフ操作することができる。
【０００８】
また本発明は、上記特徴に加え、前記回転式電子部品は、前記第１回路基板上に前記回転体を回動自在に設置すると共に、前記第１回路基板と前記回転体との間に前記回転体の回転によって出力信号を変化する検出手段を設置して構成され、一方、前記第１回路基板と前記第２回路基板を１枚のフレキシブル回路基板上に形成し、当該フレキシブル回路基板を前記基台の回転式電子部品形成部の回路基板取付面から、前記押圧スイッチ形成部下面の回路基板取付面に至るまで基台の表面に沿って取り付けたことを特徴としている。
【発明の効果】
【０００９】
本発明によれば、押圧スイッチ付き回転式電子部品において、押圧スイッチをオンオフ操作する際に、回転式電子部品用の回路パターンを設けた部分と、押圧スイッチ用の回路パターンを設けた部分の間の部分の回路パターンに、接続不良等の問題が生じることを防止できる。
また、押圧スイッチ形成部から下方に向けて突出する基板固定用突起があっても、開口部を設けたので、２つの金型のみで、容易に基台を成形することが可能になる。
【図面の簡単な説明】
【００１０】
【図１】押圧スイッチ付き回転式電子部品１−１の斜視図である。
【図２】別の方向から見た押圧スイッチ付き回転式電子部品１−１の斜視図である。
【図３】押圧スイッチ付き回転式電子部品１−１の縦断面図である。
【図４】押圧スイッチ付き回転式電子部品本体１０とケース３００の分解斜視図である。
【図５】押圧スイッチ付き回転式電子部品本体１０の分解斜視図である。
【図６】押圧スイッチ付き回転式電子部品本体１０を別の角度から見た分解斜視図である。
【図７】フレキシブル回路基板２０と基台５０の分解斜視図である。
【図８】フレキシブル回路基板２０と基台５０を別の角度から見た分解斜視図である。
【図９】基台５０の縦断面図である。
【図１０】ケース３００の斜視図である。
【図１１】ケース３００を下側から見た斜視図である。
【図１２】押圧スイッチ付き回転式電子部品１−２の縦断面図である。
【発明を実施するための形態】
【００１１】
以下、本発明の実施形態を図面を参照して詳細に説明する。図１は本発明の第１実施形態に係る押圧スイッチ付き回転式電子部品１−１の斜視図、図２は別の方向から見た押圧スイッチ付き回転式電子部品１−１の斜視図、図３は押圧スイッチ付き回転式電子部品１−１の縦断面図、図４は押圧スイッチ付き回転式電子部品本体１０とケース３００の分解斜視図、図５は押圧スイッチ付き回転式電子部品本体１０の分解斜視図、図６は押圧スイッチ付き回転式電子部品本体１０を別の角度から見た分解斜視図、図７はフレキシブル回路基板２０と基台５０の分解斜視図、図８はフレキシブル回路基板２０と基台５０を別の角度から見た分解斜視図、図９は基台５０の縦断面図である。これらの図に示すように、押圧スイッチ付き回転式電子部品１−１は、押圧スイッチ付き回転式電子部品本体１０を、ケース３００内に上下動自在に収納設置して構成されている。なお以下の説明において、「上」とは押圧スイッチ付き回転式電子部品本体１０を上下動する場合の上方向をいい、「下」とはその反対方向をいうものとする。
【００１２】
図５，図６に示すように、押圧スイッチ付き回転式電子部品本体１０は、フレキシブル回路基板２０を取り付けた基台５０と、摺動子１００と、回転体１２０と、クリック板１４０と、一対のボール１５０と、一対の弾発手段（以下「コイルバネ」という）１６０と、軸保持兼クリック機構収納部材１７０と、固定手段（以下「ネジ」という）２００と、を具備して構成されている。
【００１３】
基台５０は合成樹脂からなり、図７，図８に示すように、平板を略Ｌ字状に直角に屈曲した形状に成形され、上側の垂直に立っている部分を回転式電子部品形成部６１、下側の水平方向を向く部分を押圧スイッチ形成部８１としている。
【００１４】
回転式電子部品形成部６１の一方の面（押圧スイッチ形成部８１側を向く面）は回路基板取付面６３となっており、その中央からは円柱状の軸部６５が面に垂直に突出している。軸部６５の先端中央にはネジ２００を螺合する固定用穴６７が形成され、また軸部６５の先端面の外周近傍の１８０°対向する位置からは一対の位置決め用突起６９が突出している。回路基板取付面６３の周囲にはこれを囲むように円弧状の凸部からなる壁部７１が形成されている。壁部７１はその下部の部分が切り欠かれた円弧形状となっており、切り欠かれた部分中央の１箇所と、その下方の左右２箇所には、それぞれフレキシブル回路基板２０係止用の小突起からなる係止部７３が形成されている。回転式電子部品形成部６１の左右両側には、平板状で略矩形状に張り出す張り出し部７５が形成され、その左右両辺部分は、上下方向ガイド部７７となっている。
【００１５】
押圧スイッチ形成部８１の下面は平面状の回路基板取付面８３となっており、その先端側の左右両側には小突起を下方に向けて突出してなる一対の基板固定用突起８５が形成されている。また押圧スイッチ形成部８１の先端辺中央には、水平方向に突出する係止部８６が形成されている。
【００１６】
押圧スイッチ形成部８１の根元側から（言い換えれば、回転式電子部品形成部６１の下辺から）は、押圧スイッチ形成部８１の下面よりも下方向に向かって基板方向変換部８７が突設している。基板方向変換部８７は、平板状であって、回転式電子部品形成部６１の幅寸法と同一の幅寸法を有し、その押圧スイッチ形成部８１側を向く面を回路基板取付面８９とし、この回路基板取付面８９の左右両側位置にそれぞれ基板固定用突起９１を突設している。また、基板方向変換部８７を突出した根元部分には、幅方向に向かって長尺な開口部９３が形成されている。開口部９３は、図９に示すように、前記押圧スイッチ形成部８１の根元部分を上下に貫通する第１開口部９３Ａと、基板方向変換部８７の根元部分（回転式電子部品形成部６１下端辺部分）を水平方向に貫通する第２開口部９３Ｂとを具備して構成されている。第１開口部９３Ａは、基板方向変換部８７の回路基板取付面８９よりも押圧スイッチ形成部８１側に位置する開口部分であって、下記するフレキシブル回路基板２０を挿通できる幅寸法に形成されている。第２開口部９３Ｂは、少なくとも、その上辺が押圧スイッチ形成部８１の下面（回路基板取付面８３）又はそれより高い位置となり、その下辺が前記基板固定用突起８５の先端又はそれより低い位置となるように構成している。
【００１７】
第１開口部９３Ａを設けたのは、フレキシブル回路基板２０を挿通するためである（なおこの実施形態ではフレキシブル回路基板２０を挿通しないので、第１開口部９３Ａは必要ないが、下記する第２実施形態ではフレキシブル回路基板２０−２を挿通するため必要になる）。一方、第２開口部９３Ｂを設けたのは、以下の理由による。即ち、図９に示す基台５０を、金型を用いて成形しようとした場合、第１金型Ｋ１０と第２金型Ｋ２０のパーティングラインＰＬは、例えば図９に示す回転式電子部品形成部６１の平面方向になる。この場合、第１金型Ｋ１０と第２金型Ｋ２０は、図９の左右方向に移動することとなるが、そうすると、押圧スイッチ形成部８１の回路基板取付面８３から下方向に突出する基板固定用突起８５を形成することが煩雑になる。即ち、基板固定用突起８５を形成するには、第２金型Ｋ２０内に別のスライドコア等を設ける必要が生じ、その金型構造が複雑になる。そこで、この例においては、第１金型Ｋ１０の表面から突出して前記基板固定用突起８５の成形位置に至る部分を形成し、これによって別途スライドコア等を設置しなくても、第１，第２金型Ｋ１０，Ｋ２０だけで基台５０の成形が可能となるようにした。そして前記第１金型Ｋ１０の表面から突出して前記基板固定用突起８５の成形位置に至る部分を形成するためには、前記第２開口部９３Ｂが必要になる。また第１，第２開口部９３Ａ，９３Ｂを一体に設けることで、それらの形成が容易に行える。
【００１８】
さらに、押圧スイッチ形成部８１の左右両側辺には、これら両側辺に沿うように延びる長尺平板状の側板部９５が形成されている。これら側板部９５の外側面側の中央近傍位置には、係止爪９７が形成されている。係止爪９７は、下側から上側に向かってテーパ状に突出する略三角形状の凸部によって形成されている。
【００１９】
次に、フレキシブル回路基板２０は、可撓性を有する合成樹脂フィルム上に所望の回路パターンを形成することで構成されるフレキシブル回路基板であり、その上部の部分を第１回路基板２３、その下側の部分を第２回路基板２５、さらにその下側の部分を引出部２７としている。なお図７，図８では、フレキシブル回路基板２０を基台５０に取り付けた際の屈曲形状で示しているが、何物にも拘束されていないときはその全体が１つの平面状に延びた形状になる。
【００２０】
第１回路基板２３は、その内部に前記基台５０の軸部６５を挿入する円形の貫通孔２９が設けられ、その周囲（基台５０とは反対側を向く面）には下記する摺動子１００が摺接する円弧状の摺接パターン（具体的形状は図示せず）３３が形成されている。第１回路基板２３の摺接パターン３３を設けた周囲の外径寸法は、前記基台５０の壁部７１の内径寸法よりも小さい寸法とされている。第１回路基板２３の下部には、前記基台５０に設けた各係止部７３をそれぞれ挿入する小孔からなる挿通孔３１が形成されている。
【００２１】
第２回路基板２５は、略帯状であって、前記基台５０の押圧スイッチ形成部８１の上面と、その下面（回路基板取付面８３）と、基板方向変換部８７の回路基板取付面８９とに沿う長さに形成され、前記回路基板取付面８３の基板固定用突起８５と、回路基板取付面８９の基板固定用突起９１に対向する位置に、これらを挿入する小孔からなる挿通孔３７が形成されている。
【００２２】
第２回路基板２５の、前記回路基板取付面８３に載置される面の中央には、図示しない押圧スイッチ用の回路パターンが形成されており、この押圧スイッチ用の回路パターン上には、図８に示すように、弾性導電板をドーム形状に形成してなるスイッチ接点板３９が粘着テープ４１によって貼り付けられ、これによって押圧スイッチ４３が構成されている。
【００２３】
基台５０へのフレキシブル回路基板２０の取り付けは、まずフレキシブル回路基板２０の第１回路基板２３の部分を、基台５０の回路基板取付面６３に当接し、その際、基台５０の軸部６５を第１回路基板２３の貫通孔２９に挿入し、同時に基台５０の各係止部７３を第１回路基板２３の各挿通孔３１に挿入する。そして各係止部７３の先端を熱カシメすることで、基台５０の回路基板取付面６３に第１回路基板２３を密着するように固定する。
【００２４】
次に、フレキシブル回路基板２０の第２回路基板２５の部分を、基台５０の押圧スイッチ形成部８１の上面からその外周辺を介して下面の回路基板取付面８３、さらには略直角に折り曲げて基板方向変換部８７の回路基板取付面８９に至るまで基台５０に沿わせるように屈曲して配置し、その際、第２回路基板２５の各挿通孔３７に各基板固定用突起８５，９１を挿入し、各基板固定用突起８５，９１の先端を熱カシメして固定する。これによって、基台５０へのフレキシブル回路基板２０の取り付けが完了する。
【００２５】
次に、摺動子１００は、弾性金属板をリング状に形成し、等間隔に形成した３つの基部１０１中に取付孔１０３を設け、また基部１０１からその円周方向に向かって３組の摺動冊子１０５を突出して構成されている。
【００２６】
回転体１２０は、合成樹脂を略円柱状に成形して構成されており、その中央には、前記基台５０の軸部６５を回動自在に軸支する円形の貫通孔からなる軸受部１２１を形成し、また回転体１２０の前記基台５０側を向く面を摺動子取付面１２３とし、その逆方向を向く面の前記軸受部１２１の周囲を囲む位置にリング状の凹部からなるクリック機構収納部１２５を設けて構成されている。このクリック機構収納部１２５を設けることで、軸受部１２１の周囲に筒状の軸部１２７が形成される。また前記摺動子取付面１２３の前記摺動子の各取付孔１０３に対向する３つの位置には、各取付孔１０３に挿入される小突起からなる摺動子取付部１２９が形成されている。
【００２７】
クリック板１４０は、平板状で円形リング状であり、その面に多数の貫通する小孔からなるクリック係合部１４１を等間隔に設けて構成されている。このクリック板１４０は、前記回転体１２０のクリック機構収納部１２５に収納されてその底面に当接する寸法形状に形成されている。なお、クリック板１４０の外周には複数の切欠き部１４３が形成されており、これら切欠き部１４３は、回転体１２０のクリック機構収納部１２５の底面に形成された図示しない小突起に係合し、これによって回転体１２０と一体に回転するように構成されている。
【００２８】
軸保持兼クリック機構収納部材１７０は、合成樹脂を略円柱状に成形して構成されており、前記基台５０から離れた側の面の左右及び下方には、平板状で略矩形状に張り出す張り出し部１７１が設けられている。張り出し部１７１の左右両辺部分は、上下方向ガイド部１７３となっており、また張り出し部１７１の下辺中央には、前記基台５０の係止部８６を挿入し、位置決めする位置決め部１７５が形成されている。軸保持兼クリック機構収納部材１７０の中央には、基台５０側から凹状円形の軸受部１７７が形成されている。軸受部１７７の内径寸法は、前記回転体１２０の軸部１２７を挿入して回動自在に軸支する寸法に形成されている。図３に示すように、軸受部１７７の内部の基台５０から離れた側には、この軸受部１７７の底板を形成する基台取付部１７９が設けられている。基台取付部１７９の中央には、ネジ２００挿入用の挿通孔１８０が形成され、また挿通孔１８０の外周側の前記基台５０の一対の位置決め用突起６９に対向する位置には、これら位置決め用突起６９を挿入する一対の貫通する小孔からなる位置決め部１８１が形成されている。基台取付部１７９の厚み寸法は、位置決め用突起６９の高さ寸法と同一（又はそれよりも厚く）に形成されている。また軸保持兼クリック機構収納部材１７０の基台５０側を向く面の前記軸受部１７７を挟んだその上下２箇所には、前記クリック機構用のコイルバネ１６０とボール１５０を挿入する挿入穴１８３が形成されている。
【００２９】
図１０はケース３００の斜視図、図１１はケース３００を下側から見た斜視図である。これらの図に示すようにケース３００は合成樹脂を、上面が解放された挿入部３０１となる矩形箱型に成形して構成されている。挿入部３０１は、前記基台５０等で構成される押圧スイッチ付き回転式電子部品本体１０を上下動自在に挿入できる寸法形状に形成されている。挿入部３０１の底面３０３中央には、上方向に向かって突出する小突起からなるスイッチ押圧部３０５が形成されている。ケース３００の４つの側壁の内の対向する一対の側壁の内側面近傍の底面３０３中央からは、一対の爪状の係止部３０７が上方向に向かって突出している。両係止部３０７の上端部には、対向する側に向かって爪部３０９が突設されている。また底面３０３の４つの外周辺の内の前記係止部３０７が位置しない側の対向する一対の外周辺には、これら外周辺に沿うように、一対の長孔からなる開口部３１１が形成されている。また開口部３１１の内側辺の両端位置には、それぞれ上下方向に向かって立設された平板状のガイド用板部３１３が設けられ、これによってケース３００の内側壁とガイド用板部３１３の間に、ガイド部３１５を形成している。
【００３０】
次に、押圧スイッチ付き回転式電子部品１−１を組み立てるには、予め、前述のように、基台５０にフレキシブル回路基板２０を取り付けておくと共に、回転体１２０の摺動子取付面１２３に、摺動子１００を載置し、その際、回転体１２０の摺動子取付部１２９をそれぞれ摺動子１００の取付孔１０３に挿入し、各摺動子取付部１２９の先端を熱カシメして固定しておく。
【００３１】
そして、基台５０の軸部６５を回転体１２０の軸受部１２１に回動自在に挿入する。これによって、回転体１２０に取り付けた摺動子１００の摺動冊子１０５が、基台５０に取り付けたフレキシブル回路基板２０の摺接パターン３３に弾接する。次に、回転体１２０のクリック機構収納部１２５内にクリック板１４０を挿入してその底面に設置し、次に、一対のコイルバネ１６０とボール１５０を挿入穴１８３に収納した軸保持兼クリック機構収納部材１７０を、前記回転体１２０の後方に設置し、その際、回転体１２０の軸部１２７を軸保持兼クリック機構収納部材１７０の軸受部１７７に回動自在に挿入する。このとき、基台５０の軸部６５先端の一対の位置決め用突起６９は、軸保持兼クリック機構収納部材１７０の一対の位置決め部１８１（図３参照）に挿入され、基台５０と軸保持兼クリック機構収納部材１７０は一体化される。またこのとき、各ボール１５０はコイルバネ１６０の弾発力によってクリック板１４０に弾接される。そして、軸保持兼クリック機構収納部材１７０の基台取付部１７９中央の挿通孔１８０（図３参照）にネジ２００を挿入してこれを貫通し、さらに基台５０の固定用穴６７に螺合し、基台５０と軸保持兼クリック機構収納部材１７０とが外れないように固定する。これによって押圧スイッチ付き回転式電子部品本体１０が完成する。
【００３２】
次に、前記押圧スイッチ付き回転式電子部品本体１０を、その下部からケース３００の挿入部３０１内に上下動自在に挿入し、ケース３００に設けた一対の係止部３０７の爪部３０９を、基台５０の一対の係止爪９７にスナップイン係合にて係止する。このとき、図３に示すように、ケース３００のスイッチ押圧部３０５に押圧スイッチ４３のスイッチ接点板３９の上面が当接した状態で、前記爪部３０９と係止爪９７が係合している。またこのとき、基台５０の一対の上下方向ガイド部７７と、軸保持兼クリック機構収納部材１７０の一対の上下方向ガイド部１７３は、それぞれケース３００のガイド部３１５に上下動自在に挿入され、ガイドされる。
【００３３】
また図３に示すように、フレキシブル回路基板２０の第２回路基板２５の引出部２７側の部分は、ケース３００の一方の開口部３１１内に挿入された基板方向変換部８７の回路基板取付面８９に沿うように取り付けられるので、押圧スイッチ形成部８１の回路基板取付面８３から略直角に下方向に向けて折り曲げられて固定され、ケース３００の一方の開口部３１１から下方に向けて確実に貫通して突出する。従って下記するようにケース３００に対して押圧スイッチ付き回転式電子部品本体１０全体が上下動しても、フレキシブル回路基板２０がケース３００から引き出される部分で開口部３１１の内周面に当接等することはない。なお上記組立手順はその一例であり、他の各種異なる組立手順を用いて組み立てても良いことはいうまでもない。
【００３４】
以上のように構成された押圧スイッチ付き回転式電子部品１−１において、回転体１２０を回転すると、これと一体に摺動子１００が回転し、摺動子１００の摺動冊子１０５が摺接パターン３３上を摺動し、その電気的出力（検出出力）が変化する。回転体１２０を回転する際、コイルバネ１６０によってクリック板１４０に弾接しているボール１５０は、クリック板１４０のクリック係合部１４１への挿入、離脱が行われることで、クリック感触が得られる。
【００３５】
即ち、上下動自在に設置される基台５０（回転式電子部品形成部６１）と、基台５０の一方の面に設置される第１回路基板２３と、第１回路基板２３上に回動自在に設置される回転体１２０と、第１回路基板２３と回転体１２０との間に設置され回転体１２０の回転によって出力信号を変化する検出手段（摺動子１００と摺接パターン３３）とを具備することによって、回転式電子部品部３が構成される。
【００３６】
一方、回転体１２０の外周側面を、その上方からその回転軸に垂直な方向に向けて押圧すれば、押圧スイッチ付き回転式電子部品本体１０全体がケース３００に対して下降し、押圧スイッチ４３がスイッチ押圧部３０５によって押圧されてスイッチ接点板３９が反転し、スイッチがオンする。前記回転体１２０の外周側面への押圧を解除すれば、前記スイッチ接点板３９の弾性復帰力によってスイッチ接点板３９は元の形状に自動復帰してスイッチはオフし、同時に押圧スイッチ付き回転式電子部品本体１０全体がケース３００に対して上昇して元の位置に自動復帰する。
【００３７】
即ち、基台５０と一体に上下動し回転体１２０の外周よりも下方の位置に設置される押圧スイッチ形成部８１と、押圧スイッチ形成部８１の下面に載置され押圧スイッチ４３を形成してなる第２回路基板２５と、押圧スイッチ４３に対向するその下側位置に配置され基台５０の上下動によって押圧スイッチ４３をオンオフ操作するスイッチ押圧部３０５とを具備することによって、押圧スイッチ部５が構成される。
【００３８】
以上説明したように、押圧スイッチ付き回転式電子部品１−１は、フレキシブル回路基板２０を、回転式電子部品に用いる基台５０の一方の面（回路基板取付面６３）から、押圧スイッチ４３に用いる基台５０の押圧スイッチ形成部８１の下面に至るまで、基台５０の表面に沿って取り付けるので、たとえ基台５０を上下動して押圧スイッチ４３をオンオフ操作しても、フレキシブル回路基板２０は、基台５０に沿わせて取り付けたフレキシブル回路基板２０の各部において撓む所がない。従って、押圧スイッチ４３をオンオフ操作する際に、回転式電子部品用の回路パターン（摺接パターン３３）を設けた第１回路基板２３の部分と、押圧スイッチ用の回路パターンを設けた第２回路基板２５の部分の間の部分が撓むことはなく、この部分の回路パターンは良好な接続状態を保つ。即ち、接続不良等の問題は生じない。
【００３９】
また上記押圧スイッチ付き回転式電子部品１−１は、基板方向変換部８７を設けたので、押圧スイッチ形成部８１上に取り付けた第２の回路基板２５を、容易に折り曲げて下方向に向けることができる。
【００４０】
また上述のように、押圧スイッチ形成部８１から突出する基板固定用突起８５の突出方向が、この基台５０の成形に用いる金型の移動方向（開閉方向）と異なる方向を向いていても、基板方向変換部８７を突出した根元部分に開口部９３（９３Ｂ）を設けたので、この基台５０を成形する際に用いる金型構造が複雑になることを防止でき、２つの金型Ｋ１０，Ｋ２０のみで、容易に基台５０を成形することが可能になる。
【００４１】
さらにこの押圧スイッチ付き回転式電子部品１−１においては、フレキシブル回路基板２０の第２回路基板２５を、押圧スイッチ形成部８１の上面からその先端辺を介して下面に沿うように折り曲げているので、第２回路基板２５の折り曲げ角度が大きくならず（最大で９０°程度）、この点からも第２回路基板２５中の回路パターンに損傷が生じ難く、接続不良等の問題は生じない。
【００４２】
図１２は、本発明の第２実施形態に係る押圧スイッチ付き回転式電子部品１−２の縦断面図（図３と同一部分の断面図）である。同図に示す押圧スイッチ付き回転式電子部品１−２において、前記図１〜図１１に示す押圧スイッチ付き回転式電子部品１−１と同一又は相当部分には同一符号を付す（但し、各符号には添え字「−２」を付す）。なお以下で説明する事項以外の事項については、前記図１〜図１１に示す実施形態と同じである。
【００４３】
この押圧スイッチ付き回転式電子部品１−２において、上記押圧スイッチ付き回転式電子部品１−１と相違する点は、第２回路基板２５−２の押圧スイッチ形成部８１−２への取付状態のみである。即ち、上記押圧スイッチ付き回転式電子部品１−１においては、押圧スイッチ形成部８１の上面からその先端辺を介してその下面の回路基板取付面８３に沿うように折り曲げることで、第２回路基板２５を押圧スイッチ形成部８１に取り付けたが、この押圧スイッチ付き回転式電子部品１−２においては、押圧スイッチ形成部８１−２の下面において第２回路基板２５−２を二重に折り返したものを、この回路基板取付面８３−２に取り付けている。このように構成しても、上記押圧スイッチ付き回転式電子部品１−１と同様の効果を発揮する。
【００４４】
またこの押圧スイッチ付き回転式電子部品１−２によれば、押圧スイッチ形成部８１の上面に第２回路基板２５−２が位置しないので、回転体１２０−２が第２回路基板２５−２に接触することを確実に防止できる。
【００４５】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、検出手段は必ずしも摺動子と摺接パターンの組で構成するものに限られず、要は回転体の回転によって出力信号を変化する構成であればよい。また上記例では、押圧スイッチ形成部下面の回路基板取付面から突出する２つの基板固定用突起の成形のために、１つの長尺な開口部を設けたが、その代りに、各基板固定用突起に対応した小さい開口部をそれぞれ別個に設けても良い。
【００４６】
また、上記記載及び各図で示した実施形態は、その目的及び構成等に矛盾がない限り、互いの記載内容を組み合わせることが可能である。また、上記記載及び各図の記載内容は、その一部であっても、それぞれ独立した実施形態になり得るものであり、本発明の実施形態は上記記載及び各図を組み合わせた一つの実施形態に限定されるものではない。
【符号の説明】
【００４７】
１−１  押圧スイッチ付き回転式電子部品
３  回転式電子部品部
５  押圧スイッチ部
１０  押圧スイッチ付き回転式電子部品本体
２０  フレキシブル回路基板
２３  第１回路基板
２５  第２回路基板
３３  摺接パターン（回路パターン、検出手段）
４３  押圧スイッチ
５０  基台
６１  回転式電子部品形成部
６３  回路基板取付面
８１  押圧スイッチ形成部
８３  回路基板取付面
８５  基板固定用突起
８７  基板方向変換部
８９  回路基板取付面
９１  基板固定用突起
９３（９３Ａ，９３Ｂ）  開口部
１００  摺動子（検出手段）
１２０  回転体
１４０  クリック板
１５０  ボール
１６０  コイルバネ（弾発手段）
１７０  軸保持兼クリック機構収納部材
２００  ネジ（固定手段）
３００  ケース
３０５  スイッチ押圧部
【図１】
2019160812.tif 000003
【図２】
2019160812.tif 000004
【図３】
2019160812.tif 000005
【図４】
2019160812.tif 000006
【図５】
2019160812.tif 000007
【図６】
2019160812.tif 000008
【図７】
2019160812.tif 000009
【図８】
2019160812.tif 000010
【図９】
2019160812.tif 000011
【図１０】
2019160812.tif 000012
【図１１】
2019160812.tif 000013
【図１２】
2019160812.tif 000014